(57)【特許請求の範囲】
【請求項１】
打球供給皿が装着される前面板に該打球供給皿の球流下通路の下端と連なる球出口を設け、前記球出口からのパチンコ球の流下方向を発射レールに通じる供給口側と球抜通路に通じる球抜路側とに選択的に切換え得るようにし、
前記供給口側に前記発射レールと直交する回動支軸により回動自在に軸支される球送部材を配置し、前記球送部材は、パチンコ球が嵌入し得る球受凹部を外周面に設けた球送本体と、前記球送本体の一側に突設され打球杆と連動する連動レバーが係合する係合腕と、を有し、前記係合腕が前記回動支軸を支点として下方へ回動し停止位置にあるとき前記最先のパチンコ球を前記球抜路側に転動させ得る状態で前記球送本体の下方から支持し、前記連動レバーにより前記係合腕が前記回動支軸を支点として上方へ回動したとき前記最先のパチンコ球を前記球送本体に設けた前記球受凹部に受け入れ、
前記球抜路側には前記球送部材に近接させて球抜部材を配置し、前記球抜部材は、前記球送本体で支持されるパチンコ球が前記球抜路側に落下するのを阻止する球抜阻止位置と、前記球送部材から離れる方向に変位してそのパチンコ球の前記球抜路側への落下を許容する球抜位置と、の間を移動可能に設けられるようにしたパチンコ機において、
前記球抜路を前記球抜部材と共に係合腕の上方に設け、前記球抜部材は、前記球送本体の下方から支持されるパチンコ球の前記球抜路側に落下するのを阻止する球止板部と、前記球止板部からパチンコ球が通過し得る球落口を離して前記供給通路と平行に張設され前記球送部材の球送本体の上方を覆う球受板部と、を有し、前記球抜部材が前記球抜位置にあるときは、前記球送本体の上面を前記球抜部材により覆うようにしたことを特徴とするパチンコ機。
【発明の詳細な説明】
【０００１】
【発明の属する技術分野】
本発明は、遊技終了時に残ったパチンコ球を抜き出す機構を打球供給皿が装着される前面板の裏側に狭いスペースでまとまり良く配設でき、しかもパチンコ球の抜き出し動作も円滑になし得るパチンコ機に関するものである。
【０００２】
【従来の技術】
従来、前記パチンコ球を抜き出す機構を備えたパチンコ機として、例えば実公平６−３６４８号公報に開示されるものがある。このパチンコ機は、球抜き出し時に機構内にパチンコ球が残らないようにすることができるもので、図１０に示されるように球流下通路ａ下端の球出口ｂから流入したパチンコ球の落下方向を発射位置に通じる供給口側と球抜通路ｃに通じる球抜路ｄ側とに選択的に切換え得るようにした機構であって、前記球流下通路ａ下端の球出口ｂに近接する部位に軸支され前記球出口ｂから流入したパチンコ球を前記球抜路ｄ側に転動させ得る状態で下方から支える球送部材ｅと、この球送部材ｅに対し前記球抜路ｄ側に位置して設けられ前記球送部材ｅ上のパチンコ球が前記球抜路ｄ側に落下するのを阻止する球抜阻止位置と前記球送部材ｅから離れる方向に変位して前記球抜路ｄ側へパチンコ球の落下を許容する球抜位置との間を移動可能な球抜部材ｆとを備えている。そして、遊技終了時に残ったパチンコ球を抜き出す場合、球抜操作部材ｇを押動して球抜部材ｆを前記球抜阻止位置から球抜位置へ変化させ、球出口ｂから流入するパチンコ球を球送部材ｅに当接させながら球抜路ｄに落下させて球抜通路ｃに導くようにしている。ところで、この機構にあっては前記球抜路ｄが、球送部材ｅの一側に設けられかつ打球杆に連動する連動レバーｈと係合する係合腕ｉとは反対側に設けられている。
【０００３】
【発明が解決しようとする課題】
前記パチンコ球にあっては、球抜路ｄが球送部材ｅの係合腕ｉとは反対側に設けられており、反面、係合腕ｉの上方のスペースは何ら利用されておらず、該係合腕ｉの側方には連動レバーｈも配置されることから、抜き出し機構が雑然としてまとまりが無く、スペースを有効に利用しているとは言えなかった。また、球を抜き出すとき、球出口ｂから流入するパチンコ球が総て球送部材ｅに当接して球抜路ｄ側へ落下し、しかも各パチンコ球は回動支軸ｊより外側で係合腕ｉとは反対側に当接するので、連続するパチンコ球によって球送部材ｅが跳ね上がり、すなわち係合腕ｉが上方へ上がり、これにより落下するパチンコ球が踊って円滑な抜き出し動作が行えないという課題が有った。
【０００４】
そこで、本発明は上記課題を解決すべくなされたもので、本来利用されていなかった係合腕の上方に球抜路を設けてスペースの有効利用を図ることができ、またパチンコ球の抜き出し動作も円滑になし得るパチンコ機を提供することを目的とするものである。
【０００５】
【課題を解決するための手段】
かかる目的を達成するため本発明のパチンコ機は、打球供給皿が装着される前面板に打球供給皿の球流下通路の下端と連なる球出口を設け、該球出口からのパチンコ球の流下方向を発射レールに通じる供給口側と球抜通路に通じる球抜路側とに選択的に切換え得るようにし、前記供給口側に発射レールと直交する回動支軸により回動自在に軸支される球送部材を配置し、前記球送部材は、パチンコ球が嵌入し得る球受凹部を外周面に設けた球送本体と、該球送本体の一側に突設され打球杆と連動する連動レバーが係合する係合腕と、を有し、該係合腕が前記回動支軸を支点として下方へ回動し停止位置にあるとき前記最先のパチンコ球を球抜路側に転動させ得る状態で球送本体の下方から支持し、前記連動レバーにより係合腕が回動支軸を支点として上方へ回動したとき前記最先のパチンコ球を球送本体に設けた球受凹部に受け入れ、球抜路側には球送部材に近接させて球抜部材を配置し、該球抜部材は、球送本体で支持されるパチンコ球が球抜路側に落下するのを阻止する球抜阻止位置と、球送部材から離れる方向に変位してそのパチンコ球の球抜路側への落下を許容する球抜位置と、の間を移動可能に設けられるようにしたパチンコ機において、前記球抜路を球抜部材と共に係合腕の上方に設け、球抜部材は、球送本体の下方から支持されるパチンコ球の球抜路側に落下するのを阻止する球止板部と、球止板部からパチンコ球が通過し得る球落口を離して前記供給通路と平行に張設され球送部材の球送本体の上方を覆う球受板部と、を有し、球抜部材が球抜位置にあるときは、球送本体の上面を球抜部材により覆うように構成される。
【０００６】
このように球送部材一側の係合腕の上方に球抜路を設けることにより、本来使用されていなかったスペースを有効に利用することができる。また、球送部材の上面に回転支軸より球抜路側に位置しかつ球抜路側に下傾して球出口から流入する最先のパチンコ球を支持する支持面を設けることにより、遊技終了時に残ったパチンコ球を抜き出すとき、これらパチンコ球は支持面に当接して球抜路側へ落下するので、常に係合腕が跳ね上がらないよう作用し、これによりパチンコ球の踊りも無くなり抜き出し動作が円滑に行なえる。
【０００７】
【発明の実施の形態】
以下本発明に係るパチンコ機の実施の形態を図面を参照して説明する。図１は本発明が適用されるパチンコ機の正面図、図２はガラス扉枠及び前面板を解放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の上方部を覆うガラス扉枠７と共に前面枠１の窓孔８の一側に開閉自在に装着されている。前記前面板６の表面には景品球払出装置（図示せず）から払い出されたパチンコ球を貯留し、そのパチンコ球を後述する打球供給装置２０に供給する打球供給皿９が装着されている。また、前記前面枠１の下部前面には打球供給皿９に充満してオーバーフローするパチンコ球を貯留する下部球受皿１０及び発射位置５から発射されるパチンコ球の弾発力を調節する操作ハンドル１１が設けられている。
【０００８】
前記打球供給皿９は、図３に示されるようにパチンコ球を貯留する皿部１２と該皿部１２の上縁部分を囲う飾板部１３及び皿部１２の下方に延出する側板部１４とを有する。前記皿部１２は底部が一方に緩やかに下り傾斜し、その傾斜下部にパチンコ球が一列に整列される球流下通路１５が形成されており、この球流下通路１５の下流端は前面板６に開設された流出口１６に接続される。また、下流端の底面に常には後記する球抜板４１により塞がれる球抜口１７が開設され、該球抜口１７はその下方に設けられた球抜通路１８に連通するようになっている。１９は球抜通路１８の下流端と対応位置して前面板６に開設される通口である。そして、前面板６の裏面には前記流出口１６と対応させて打球供給装置２０が配設されている。
【０００９】
前記打球供給装置２０は、図４に示されるように中空箱枠体２１と球送部材２２と球抜部材２３とからなる。中空箱枠体２１は、更に前本体部２１ａと後本体部２１ｂとに二分割して形成され、これらはそれぞれビス２４止めすることにより一体化される。そして、前本体部２１ａの一側上部に前記流出口１６と連通する球入口２５が設けられ、後本体部２１ｂの内部には球入口２５と連通する横やや下向きの供給通路２６が設けられ、該供給通路２６の終端下方に球送部材２２が配置され、供給通路２６内の最先位置にあるパチンコ球を１個ずつ前記発射レール３の発射位置５に導くようにしている。
【００１０】
球送部材２２は、全体をほぼ円形形状としかつパチンコ球の直径とほぼ等しい厚さの立体形とした球送本体２２ａと内部に重錘２７が設けられると共に球送本体２２ａから一側へ突出する係合腕２２ｂとを一体に備えており、前本体部２１ａ後面から後方へ垂直、すなわち前記発射レール３と直交する向き、に突設された回動支軸２８により回動自在に支持されている。そして、自然状態では球送部材２２が重錘２７により回動支軸２８を中心に下方へ回動して後本体部２１ｂ下部の側枠上面に停止位置（図５実線位置）している。
【００１１】
また、前記球送本体２２ａには、供給通路２６の終端下方に位置する外周面に形成され係合腕２２ｂ側に下傾してパチンコ球を下方から支持する支持面２９と該支持面２９で支持したパチンコ球が嵌入し得る半円状の球受凹部３０とが設けられており、該球受凹部３０の底部３０ａは嵌入したパチンコ球が発射レール３の発射位置５に対応させて後本体部２１ｂに設けた供給口３１側に転がるように傾斜面として形成されている。一方、係合腕２２ｂ上面はパチンコ球が乗り得る広さを有し、しかも前側に緩く下傾している。
【００１２】
前記前本体部２１ａには、球送本体２２ａとの対向面に球送部材２２が下方へ回動したとき球受凹部３０に受け入れられたパチンコ球が接触可能な誘導突起３２と球送本体２２ａに形成された凹溝３３に臨むガイド突起３４が設けられている。
【００１３】
前記中空箱枠体２１内部の係合腕２２ｂ側であって、その上方に供給通路２６と連なる垂直な球抜路３５が形成され、該球抜路３５と対応させて前本体部２１ａに開口３６が設けられている。これにより、球抜路３５は開口３６及び前面板６に設けられた通孔３７を介して前記球抜通路１８と連通される。また、３８は供給通路２６の下側で前本体部２１ａに設けられ球抜部材２３を嵌入させるためのガイド溝であり、該ガイド溝３８の一端側は前記開口３６と連通している。
【００１４】
球抜部材２３は前本体部２１ａの前面に平行に当接して配置される起立板部３９ａと、該起立板部３９ａの後面に突設され供給通路２６と直交する球止板部３９ｂと、該球止板部３９ｂからパチンコ球が通過し得る球落口４０を離して起立板部３９ａの後面に供給通路とほぼ平行に張設される球受板部３９ｃとからなり、前記ガイド溝３８に前本体部２１ａの前側から球受板部３９ｃを嵌入してガイド溝３８に沿って左右に摺動する。
【００１５】
そして、常態では図５，６に示されるように球落口４０が球送部材２２の支持面２９上方に位置し、かつ球止板部３９ｂが球送部材２２に対し球抜路３５側であって前記支持面２９上面で支持されるパチンコ球が球抜路３５側に落下するのを阻止する球抜阻止位置に有る。また、この位置から図７に示されるように球止板部３９ｂが球送部材２２から離れる方向に変位して球落口４０が球抜路３５と連通し前記球抜路３５側へのパチンコ球の落下を許容する球抜位置に移動できるようになっている。しかも、このとき球送本体２２ａの上面は球受板部３９ｃにより覆われる。
【００１６】
更に、前記球抜部材２３には、図８，図９に示されるようにその前面に球抜板４１がビス４２止めにより一体に設けられる。該球抜板４１は打球供給皿９の側板部１４に設けられるガイド枠４３内に摺動自在に保持され、後側に上下に貫通する係合溝４４が設けられると共に、該係合溝４４内に横ピン４５が突設されている。また、該球抜板４１の一側端には前記球抜口１７を開閉する球止板部４６が水平に突設されている。
【００１７】
一方、側板部１４の後側に略Ｌ字型のレバー部材４７が軸４８により揺動自在に軸支されると共に、操作部材４９が軸５０により上下方向へ押圧自在に軸支されている。そして、前記レバー部材４７の下端部は側板部１４に設けられた長孔５２を介して球抜板４１の係合溝４４内に介入し、その中の横ピン４５が係合孔５１に係合している。また、レバー部材４７上端部の受止部５３上面に操作部材４９が接触して位置ており、該操作部材４９は飾板部１３の透孔５４から上方に突出している、更に、球流下通路１５の球抜口１７上方に該球抜口１７へ流入するパチンコ球を球噛みが生じないようにならすための球ならし部材５５が配置され、該球ならし部材５５とレバー部材４７とがコイルバネ５６により連結されている。これにより、球抜板４１は常に球止板部４６が球抜口１７を塞ぐ位置に付勢されている。
【００１８】
次に、このように構成されるパチンコ機の作用を説明する。打球供給皿９に貯留されるパチンコ球は、一列に整列されながら前面板６の球出口１６に入り球入口２５を介して中空箱枠体２１内の供給通路２６に流入し、図５実線のように最先のパチンコ球Ｂ１が球落口４０内に入って球送り部材２２の支持面２９上に乗り、同時に球抜路３５側に転動するのを球止板部３９ｂにより阻止された状態で停止しており、後続するパチンコ球も連続して待機している。
【００１９】
一方、この状態で遊技者のハンドル操作により打球杆４が図５鎖線のように発射準備位置に回動されると、引掛杆５７によって連動レバー５８のレバー部５９が引寄せられ該連動レバー５８が軸６０を支点として上方へ回動し、その押上部６１が球送部材２２の係合腕２２ｂを上方へ押し上げる。このため、球送部材２２が回動支軸２８を支点として図５鎖線のように上方へ回動し、前記最先のパチンコ球Ｂ１が球受凹部３０に受け入れられる。
【００２０】
そして、この状態で打球杆４が図５実線で示す発射動作位置に回動すると、球送部材２２は係合腕２２ｂの押し上げ動作から開放され重錘２７の自重で下方に回動し、球受凹部３０に受け入れられたパチンコ球Ｂ１が供給口３１から発射レール３の発射位置５に送り出される。同時に後続する供給通路２６内のパチンコ球Ｂ２を球送本体２２ａの支持面２９で受け止めるもので、その後は打球杆４の往復回動ごとに供給通路２６内の最先に有るパチンコ球Ｂが１個ずつ発射レール３の発射位置５に供給される。
【００２１】
そこで、遊技終了時に打球供給皿９内に残ったパチンコ球Ｂを下部球受皿１０に抜き出す場合は、操作部材４９を図９鎖線のように下方へ押圧してレバー部材４７をコイルバネ５６の付勢に抗して回動させる。これによりレバー部材４７と共に球抜板４１が摺動してその球止板部４６が球抜口１７を開放し、打球供給皿９内のパチンコ球Ｂが球抜通路１８へ落下する。そして、図８に示されるように球抜きシュート６２を介して下部球受皿１０に排出される。
【００２２】
同時に、球抜部材２３の球止板部３９ｂが、図７に示されるように球送本体２２ａから離れる方向、すなわち球抜路３５側へ移動する。これにより、供給通路２６内のパチンコ球Ｂが球落口４０を介して球抜路３５に流入し、開口３６から球抜通路１８へ流出される。この際、球送本体２２ａはその上方を球受板部３９ｃにより覆われるので、前記各パチンコ球Ｂが抜き出される途中で球送本体２２ａに衝突するようなことはなく球送本体２２ａが保護される。
【００２３】
また、係合腕２２ｂの上面は開口３６側に向って下傾するように形成されているのでパチンコ球Ｂがスムーズに流下する。更に、球送部材２２はそれ以上下方へは回動し得ないので、パチンコ球が球送部材２２に上から衝突してもその衝突によって係合腕２２ｂが上方へ跳ね上がるようなこともなく、このためパチンコ球が踊らず円滑に流出される。かくして、打球供給装置２０内のパチンコ球は残ることなく総て抜き出される。
【００２４】
前記球抜路３５には、流入するパチンコ球Ｂを受け止めて球抜通路１８へ導く底壁（図示せず。）を設けることが考えられるが、球送部材２２の係合腕２２ｂが前記底壁の機能も兼ね備えるようにすれば余分な部材を造る必要もなく構成が簡素化できる。
【００２５】
【発明の効果】
以上述べたように本発明に係るパチンコ機は、球送部材の係合腕側に球抜路を設けるようにしたので、本来利用されてないスペースを利用ることができ、これによりスペースの有効利用が図られると共に球抜機構が整然としてまとまりが良くなる。また、遊技が終了して残り球を抜き出すとき、パチンコ球は係合腕の有る球抜路側へ落下するので係合腕が跳ね上がることはなく、これによりパチンコ球の踊りも無くなり抜き出し動作が円滑に行なえるという効果を有する。
【図面の簡単な説明】
【図１】  本発明が適用されるパチンコ機の正面図。
【図２】  ガラス扉枠と前面板とを開放した状態を示すパチンコ機の下部部分の斜視図。
【図３】  打球供給皿部分の分解斜視図。
【図４】  打球供給装置の分解斜視図。
【図５】  打球供給装置部分の作用を示す部分断面正面図。
【図６】  打球供給装置の部分断面正面図。
【図７】  打球供給装置の作用を示す部分断面正面図。
【図８】  打球供給皿と下部球受皿の関連構成を示す側面断面図。
【図９】  打球供給皿の一部を断面にして示す裏面図。
【図１０】  従来の打球供給装置部分を一部断面にして示す裏面図。
【符号の説明】
３                発射レール
４                打球杆
６                前面板
９                打球供給皿
１５              球流下通路
１６              球出口
１８              球抜通路
２２              球送部材
２２ａ            球送本体
２２ｂ            係合腕
２３              球抜部材
２６              供給通路
２８              回動支軸
２９              支持面
３０              球受凹部
３１              供給口
３５              球抜路
３９ｂ            球止板部
３９ｃ            球受板部
４０              球落口
５８              連動レバー
Ｂ，Ｂ１，Ｂ２    パチンコ球
【図１】
0004014675.tif 000002
【図２】
0004014675.tif 000003
【図３】
0004014675.tif 000004
【図４】
0004014675.tif 000005
【図５】
0004014675.tif 000006
【図６】
0004014675.tif 000007
【図７】
0004014675.tif 000008
【図８】
0004014675.tif 000009
【図９】
0004014675.tif 000010
【図１０】
0004014675.tif 000011